(57)【要約】【課題】  ストラップに取り付ける携帯品の使用状態に合わせて、ネックストラップとすることもハンドストラップとすることも容易なストラップを提供することにある。【解決手段】  ストラップ１０は、ハンドストラップ２０とネックストラップ３０を組み合わせてなり、デジタルカメラ５０などの携帯品を取り付けて首に掛けるなどして使用される。【選択図】  図１
0003108503.tif 000002
【実用新案登録請求の範囲】
【請求項１】
手に掛けるハンドストラップと首に掛けるネックストラップを組み合わせたストラップであって、
ネックストラップは、紐状のネックストラップ本体にハンドストラップを掛け止めする棒状の掛止部材を備え、
ハンドストラップは、紐状のハンドストラップ本体に、掛止部材へ掛け止めするためのフック部を備えたストラップ。
【請求項２】
ハンドストラップのフック部は、雄雌接合パーツからなっており、環状のハンドストラップ本体の相対する位置にそれぞれ雄形フックパーツおよび雌形フックパーツを備えた請求項１記載のストラップ。
【請求項３】
ネックストラップの掛止部材は、掛け止めされるハンドストラップ本体を通す溝部を備えた請求項１又は２記載のストラップ。
【請求項４】
ネックストラップの掛止部材は、その両端にネックストラップ本体を調整自在に挿通する挿通孔を備えた請求項１から３のいずれかに記載のストラップ。
【請求項５】
ハンドストラップおよび／またはネックストラップに携帯品を取り付けるための取付部を備えた請求項１から４のいずれかに記載のストラップ。
【考案の詳細な説明】
【技術分野】
【０００１】
本考案は、手に持つハンドストラップと首に掛けるネックストラップを組み合わせたストラップに関するものである。
【背景技術】
【０００２】
携帯電話やデジタルカメラなどを吊り下げるためのストラップには、これまで実に様々なものが製造・販売されている。
その中で、ストラップは大きく２種類のものに分けることができる。一つは、首に掛けて使用されるネックストラップで、もう一つは、手に掛けて使用されるハンドストラップである。
【０００３】
そして、この２種類のネックストラップとハンドストラップを１つのストラップで兼ね備えたものが特許文献１に開示されている吊り下げ具（ストラップ）である。このストラップは、１本のネックストラップ（２）に２箇所係止具（１，３）を備えることで、その一部をネックストラップ（２）から取り外して、ハンドストラップとして使用することができるものである。
【特許文献１】特開２００２−５１８２４号公報
【考案の開示】
【考案が解決しようとする課題】
【０００４】
しかし、特許文献１に開示された上記ストラップでは、ネックストラップからハンドストラップを取り出すことが面倒であり、ネックストラップを首に掛けたまま、ハンドストラップを取り外すことは難しい。
一方、ストラップに吊り下げることの多い携帯電話やデジタルカメラなどは、その使用時にハンドストラップを手に掛けて使用し、不使用時にはネックストラップに吊り下げたままにしていることが多い。
【０００５】
そこで、本考案は、ストラップに取り付ける携帯品の使用状態に合わせて、ネックストラップとすることもハンドストラップとすることも容易なストラップを提供することを目的とし、さらにそれにデザイン性を兼ね備えたストラップを提供すること目的する。
【課題を解決するための手段】
【０００６】
上記目的を達成するために、第一の考案は、手に掛けるハンドストラップと首に掛けるネックストラップを組み合わせたストラップであって、ネックストラップは、紐状のネックストラップ本体にハンドストラップを掛け止めする棒状の掛止部材を備え、ハンドストラップは、紐状のハンドストラップ本体に、掛止部材へ掛け止めするためのフック部を備えたことを特徴とするものである。
第二の考案は、ハンドストラップのフック部は、雄雌接合パーツからなっており、環状のハンドストラップ本体の相対する位置にそれぞれ雄形フックパーツおよび雌形フックパーツを備えたことを特徴とするものである。
第三の考案は、ネックストラップの掛止部材は、掛け止めされるハンドストラップ本体を通す溝部を備えたことを特徴とするものである。
第四の考案は、ネックストラップの掛止部材は、その両端にネックストラップ本体を調整自在に挿通する挿通孔を備えたことを特徴とするものである。
第五の考案は、ハンドストラップおよび／またはネックストラップに携帯品を取り付けるための取付部を備えたことを特徴とするものである。
【考案の効果】
【０００７】
本考案によれば、以下のような効果を有する。
（１）本考案のストラップは、ハンドストラップとネックストラップを組み合わせたものであって、ネックストラップは、紐状のネックストラップ本体にハンドストラップを掛け止めする棒状の掛止部材を備え、ハンドストラップは、紐状のハンドストラップ本体に、掛止部材へ掛け止めするためのフック部を備えることで、そのフック部の操作のみでネックストラップからハンドストラップの着脱自在となり、ストラップに取り付ける携帯品の使用状態に合わせて、ネックストラップまたはハンドストラップのどちらかを使用することが容易になる。
（２）ハンドストラップのフック部は、雄雌接合パーツからなっており、環状のハンドストラップ本体の相対する位置にそれぞれ雄形フックパーツおよび雌形フックパーツを備えることで、ハンドストラップを掛止部材に確実に装着できるとともに、ハンドストラップの取外も容易になる。
（３）ネックストラップの掛止部材は、掛け止めされるハンドストラップ本体を通す溝部を備えることで、掛け止めされるハンドストラップが安定化する。
（４）ネックストラップの掛止部材は、その両端にネックストラップ本体を調整自在に挿通する挿通孔を備えることで、ネックストラップの長さを自由に調整できる。
（５）ネックストラップに掛止部材を備え、それにハンドストラップを掛け止めすることでストラップを構成するため、デザイン性に優れたストラップとなる。
【考案を実施するための最良の形態】
【０００８】
本考案の実施の形態を図面に基づいて説明する。
図１は、本考案のストラップの使用状態を示す説明図である。
ストラップ１０は、ハンドストラップ２０とネックストラップ３０を組み合わせてなり、デジタルカメラ５０などの携帯品を取り付けて首に掛けるなどして使用される。
【０００９】
図２は、ハンドストラップ２０とネックストラップ３０を詳細に示した正面図である。
図２−１に示すハンドストラップ２０は、紐状でかつ環状のハンドストラップ本体２１からなっている。そして、ハンドストラップ本体２１には、フック部を備えている。このフック部は雄雌接合パーツからなっており、環状のハンドストラップ本体の相対する位置、図２−１ではハンドストラップ本体２１の上端に雄形フックパーツ２３、下端に雌形フックパーツ２４を備えている。また、その雌形フックパーツ２４に、デジタルカメラ５０などの携帯品を取り付けるための輪状の取付部２６を備える。なお、ハンドストラップ本体２１の材質としては、シリコンまたはウレタンなどが好ましいが、これらに限られるものではない。
【００１０】
図２−２に示すネックストラップ３０は、紐状のネックストラップ本体３１にハンドストラップ２０を掛け止めする棒状の掛止部材３５からなっている。この掛止部材３５は、その両端にネックストラップ本体３１を調整自在に挿通する挿通孔３６，３６を備えることで、ネックストラップ３０の長さを自由に調整できる。すなわち、掛止部材３５の両側面には挿通孔３６，３６に連通する連通孔（図示せず）を有し外側に付勢されるプッシュボタン３７，３７を備え、このプッシュボタンを操作することでネックストラップ本体３１を調整できる。なお、ネックストラップ本体３１の端部には、掛止部材３５の挿通孔３６，３６から抜け落ちないように、ストッパー３３，３３を設けている。ここで、ネックストラップ本体３１の材質も、シリコンまたはウレタンなどが好ましいが、これらに限られるものではない。また、掛止部材３５の材質は、金属製、樹脂製など様々な材質のものを使用できる。
【００１１】
図３は、ネックストラップ３０へのハンドストラップ２０の着脱方法について説明した説明図である。まず、ハンドストラップ２０を装着するためには、掛止部材３５へハンドストラップ２０を掛けて、凸片状の雄形フックパーツ２３を差込口２５を有する雌形フックパーツ２４に差し込み、両者を接合させる。これによって、ハンドストラップ２０はネックストラップ３０に装着される。なお、この掛止部材３５には、掛け止めされるハンドストラップ本体２１を通す溝部３８，３８を備える。これにより、掛け止めされるハンドストラップ２０が安定化する。
【００１２】
次に、ハンドストラップ２０を取り外すためには、これと逆の操作をすればよい。
このように、ハンドストラップ２０の着脱は、ハンドストラップ２０のフック部を操作するだけなので、ハンドストラップ２０とネックストラップ３０の着脱が容易に行える。
なお、フック部は、雄形フックパーツ２３と雌形フックパーツ２４を凹凸状態で嵌合させると、その接合性がよくなる。
【産業上の利用可能性】
【００１３】
本考案は、様々な携帯品を吊り下げるためのストラップとして、さらには、とくに携帯品を吊り下げていない場合でも、身に付けるアイテムとして使用できるものである。
【図面の簡単な説明】
【００１４】
【図１】本考案のストラップの使用状態を示す説明図。
【図２−１】ハンドストラップを詳細に示した正面図。
【図２−２】ネックストラップを詳細に示した正面図。
【図３】ネックストラップ本体へのハンドストラップ本体の着脱方法について説明した説明図。
【符号の説明】
【００１５】
１０  ストラップ
２０  ハンドストラップ    ２１  ハンドストラップ本体    ２３  雄形フックパーツ
２４  雌形フックパーツ    ２５  差込口
３０  ネックストラップ    ３１  ネックストラップ本体    ３３  ストッパー
３５  掛止部材            ３６  挿通孔                  ３７  プッシュボタン
３８  溝部                ５０  デジタルカメラ
【図１】
0003108503.tif 000003
【図２−１】
0003108503.tif 000004
【図２−２】
0003108503.tif 000005
【図３】
0003108503.tif 000006